(57)【特許請求の範囲】
【請求項１】
現在の運転モードや温度などの設定を表示する表示部と、運転モードや温度設定などの設定の操作を行う操作部と、前記操作部にて操作された設定に基づいて処理する制御部と、前記制御部で処理された設定を空調機に送信する信号送信部と、を備えた空調機リモコン装置において、暖房運転警告温度と冷房運転警告温度とからなる運転警告温度データを記憶した記憶部を設け、使用者が操作部を操作した時に、前記制御部は、前記運転モードの設定が暖房運転モードか冷房運転モードかを判定し、温度センサが検出した検出温度と前記運転警告温度データとの比較を行い、前記運転モードの設定が暖房運転モードの時に前記検出温度が前記記憶部に記憶した前記暖房運転警告温度以上の時に、あるいは、前記運転モードの設定が冷房運転モードの時に前記検出温度が前記記憶部に記憶した前記冷房運転警告温度以下の時に、空調機の環境に合致しない運転モードを選択したと判断し、前記表示部で注意喚起を行うことを特徴とする空調機リモコン装置。
【請求項２】
前記注意喚起を文字によって表示することを特徴とする請求項１に記載の空調機リモコン装置。
【請求項３】
前記注意喚起を色によって表示することを特徴とする請求項１に記載の空調機リモコン装置。
【請求項４】
前記検出温度が前記暖房運転警告温度以上の場合に、前記注意喚起の色を暖色系とし、前記検出温度が前記冷房運転警告温度以下の場合に、前記注意喚起の色を寒色系としたことを特徴とする請求項３に記載の空調機リモコン装置。
【請求項５】
前記操作部は、前記空調機の稼働と停止を操作する操作手段を備え、前記制御部は、前記操作手段の操作時に前記注意喚起を行うことを特徴とする請求項１に記載の空調機リモコン装置。
【請求項６】
吹鳴手段を設け、この吹鳴手段で注意喚起を行うことを特徴とする請求項１に記載の空調機リモコン装置。
【発明の詳細な説明】
【技術分野】
【０００１】
本発明は、空気調和機の遠隔制御に用いられる空調機リモコン装置に関するものである。
【背景技術】
【０００２】
従来、リモコン装置で遠隔操作される空気調和機（以下、空調機という）は、冷房運転と暖房運転を自動で切り替える自動運転モードの機能を備えるものがあり、この空調機の自動運転モードの機能を選択可能なリモコン装置があった（特許文献１を参照）。
【先行技術文献】
【特許文献】
【０００３】
【特許文献１】特開平０５−２５６５０４号公報
【発明の概要】
【発明が解決しようとする課題】
【０００４】
しかしながら、空調機の自動運転モードは、どのような判断で冷房運転と暖房運転を切り換えるのかがわかりにくく、使用者は、意図しない運転になることを敬遠し、自動運転モードの機能を備えた空調機であっても、冷房運転または暖房運転などの単一機能の運転モードを選択する傾向がある。
【０００５】
また、冬期または夏期の間は、使用者は、前回運転した運転モードを変えることなく、空調機の前回運転した運転モードを維持した状態で使用する場合が多く見受けられる。使用者は、空調機の運転モードの設定が、前回運転した運転モードの設定を維持しているものと思いこみ、空調機の運転を再開する場合が多い。
【０００６】
このため、意図しない操作（誤操作）や子供のいたずらなどによって、使用者が、設定を変更されていることに気づかずに意図しない運転モードで空調機の運転を再開してしまう場合があった。このような場合、気温が高い環境であって冷房運転モードで運転すべき場合に、空調機が暖房運転を行ったり、気温が低い環境であって暖房運転モードで運転すべき場合に、空調機が冷房運転を行ったりし、使用者に不快な思いをさせるおそれがあった。
【０００７】
そこで、本発明は、前述した問題点に着目し、操作時の環境に合致しない運転モードであった場合に、運転モードに関するお知らせを行い、使用者に不快な思いをさせない空調機リモコン装置を提供するものである。
【課題を解決するための手段】
【０００８】
本発明は前記目的を達成するため、現在の運転モードや温度などの設定を表示する表示部と、運転モードや温度設定などの設定の操作を行う操作部と、前記操作部にて操作された設定に基づいて処理する制御部と、前記制御部で処理された設定を空調機に送信する信号送信部と、を備えた空調機リモコン装置において、暖房運転警告温度と冷房運転警告温度とからなる運転警告温度データを記憶した記憶部を設け、使用者が操作部を操作した時に、前記制御部は、前記運転モードの設定が暖房運転モードか冷房運転モードかを判定し、温度センサが検出した検出温度と前記運転警告温度データとの比較を行い、前記運転モードの設定が暖房運転モードの時に前記検出温度が前記記憶部に記憶した前記暖房運転警告温度以上の時に、あるいは、前記運転モードの設定が冷房運転モードの時に前記検出温度が前記記憶部に記憶した前記冷房運転警告温度以下の時に、空調機の環境に合致しない運転モードを選択したと判断し、前記表示部で注意喚起を行うものである。
【０００９】
また、前記注意喚起を文字によって表示するものである。
【００１０】
また、前記注意喚起を色によって表示するものである。
【００１１】
また、前記検出温度が前記暖房運転警告温度以上の場合に、前記注意喚起の色を暖色系とし、前記検出温度が前記冷房運転警告温度以下の場合に、前記注意喚起の色を寒色系としたものである。
【００１２】
また、前記操作部は、前記空調機の稼働と停止を操作する操作手段を備え、前記制御部は、前記操作手段の操作時に前記注意喚起を行うものである。
【００１３】
また、吹鳴手段を設け、この吹鳴手段で注意喚起を行うものである。
【発明の効果】
【００１４】
本発明によれば、所期の目的を達成でき、操作時の空調機の環境に合致しない運転モードであった場合に、運転モードに関するお知らせを行い、使用者に不快な思いをさせない空調機リモコン装置を提供することができる。
【図面の簡単な説明】
【００１５】
【図１】本発明の第１実施形態のリモコン装置の正面図。
【図２】同実施形態のリモコン装置の構成を示すブロック図。
【図３】同実施形態のリモコン装置の処理を示すフロー図。
【図４】同実施形態のリモコン装置の暖房運転警告温度と検出温度との関係を示す図。
【図５】同実施形態のリモコン装置の冷房運転警告温度と検出温度との関係を示す図。
【発明を実施するための形態】
【００１６】
本発明の第１実施形態の空調機リモコン装置１は、空調機を遠隔制御するものであり、表示部である表示パネル２と、操作部３と、制御部４と、信号送信部５と、記憶部６と、温度センサ７とを備えている。
【００１７】
表示パネル２は、液晶表示パネルと、この液晶表示パネルを背後から照明する照明装置とから構成されている。表示パネル２は、空調機の現在の運転モードや温度の設定などを表示するものである。前記照明装置は、複数の色で前記液晶表示パネルを照明することができる。
【００１８】
操作部３は、空調機の暖房運転、冷房運転、送風などの運転モードや温度などの設定の操作を行うものである。本実施形態では、操作部３を構成する操作手段として押しボタンスイッチ３ａを採用しており、複数の押しボタンスイッチ３ａを備えている。
【００１９】
制御部４は、マイクロコンピュータであり、操作部３にて操作された設定に基づいて処理し、表示パネル２や信号送信部５を制御するものである。
【００２０】
信号送信部５は、制御部４で処理された設定を含んだ制御信号を前記空調機に送信するものである。信号送信部５は、赤外線を用いて制御信号を送信するものであるが、空調機リモコン装置１と前記空調機とを信号線で接続した有線方式であっても良い。
【００２１】
記憶部６は、暖房運転警告温度ＨＬと冷房運転警告温度ＣＬとからなる運転警告温度データを記憶するものであり、マイクロコンピュータが、備えているＲＯＭで構成されている。暖房運転警告温度ＨＬは、温度センサ７の検出温度が、この警告温度ＨＬより高くなった時に、注意喚起の判断の基準となる温度であり、本実施形態では、警告温度ＨＬは、２８℃である。また、冷房運転警告温度ＣＬは、温度センサ７の検出温度が、この警告温度ＣＬより低くなった時に、注意喚起の判断の基準となる温度であり、本実施形態では、警告温度ＣＬは、２０℃である。
【００２２】
温度センサ７は、サーミスタであり、空調機リモコン装置１に設けられており、空調機リモコン装置１や前記空調機が、設けられた室内の気温を検出するものである。なお、温度センサ７は、空調機リモコン装置１に設ける必要はなく、空調機リモコン装置１と前記空調機とが、双方向で通信可能であれば、前記空調機に設けた温度センサを利用しても良い。
【００２３】
次に、本実施形態の空調機リモコン装置１の処理動作を図３を用いて説明する。
【００２４】
空調機リモコン装置１の前記空調機の稼働と停止を操作する「運転／停止」の操作手段３ａを操作したことによって、スタートする。
【００２５】
ステップＳ１０で、制御部４は、温度センサ７が検出した検出温度Ｔ１、Ｔ２を取り込む。
【００２６】
ステップＳ２０で、制御部４は、現在の運転モードが、「暖房運転」であるかどうかを判断し、「暖房運転」である場合は、ステップＳ３０に進み、「暖房運転」でない場合は、ステップＳ５０に進む。
【００２７】
ステップＳ３０で、制御部４は、検出温度Ｔ１と暖房運転警告温度ＨＬとを比較し、検出温度Ｔ１が、暖房運転警告温度ＨＬより高い場合は、ステップＳ４０に進み、検出温度Ｔ１が、暖房運転警告温度ＨＬより低い場合は、処理が終了する。
【００２８】
ステップＳ４０で、制御部４は、気温が高いにもかかわらず暖房運転を選択するという、空調機の環境に合致しない運転モードを選択したと判断し、「暖房運転でよろしいですか？」という文字を表示パネル２に表示して注意喚起を行う。
【００２９】
なお、表示パネル２での注意喚起は、文字による表示に限定されるものではなく、例えば、表示パネル２の照明色によって、注意喚起を行ってもよい。また、照明色も、検出温度Ｔ１が暖房運転警告温度ＨＬ以上の場合に、暖色系で注意喚起を行うことによって、暖かい感じを与える色とすることで、使用者に対して、暖房運転を行うことをより有効に注意喚起を行うことができる。
【００３０】
そして、ステップＳ４０後、処理を終了する。
【００３１】
ステップＳ５０で、制御部４は、現在の運転モードが、「冷房運転」であるかどうかを判断し、「冷房運転」である場合は、ステップＳ６０に進み、「冷房運転」でない場合は、処理が終了する。
【００３２】
ステップＳ６０で、制御部４は、検出温度Ｔ２と冷房運転警告温度ＣＬとを比較し、検出温度Ｔ２が、冷房運転警告温度ＣＬより低い場合は、ステップＳ７０に進み、検出温度Ｔ２が、冷房運転警告温度ＣＬより高い場合は、処理が終了する。
【００３３】
ステップＳ７０で、制御部４は、気温が低いにもかかわらず冷房運転を選択するという、空調機の環境に合致しない運転モードを選択したと判断し、「冷房運転でよろしいですか？」という文字を表示パネル２に表示して注意喚起を行う。
【００３４】
なお、表示パネル２での注意喚起は、文字による表示に限定されるものではなく、例えば、表示パネル２の照明色によって、注意喚起を行ってもよい。また、照明色も、検出温度Ｔ２が冷房運転警告温度ＣＬ以下の場合に、寒色系で注意喚起を行うことによって、冷たい感じを与える色とすることで、冷房運転を行うことを、使用者に対して、より有効に注意喚起を行うことができる。
【００３５】
次に、図４、図５で示す２つの例を用いて処理を説明する。図４の例は、夏などの気温の高い時季で、温度センサ７の検出温度Ｔ１は、３０℃であり、運転モードが、誤操作などで「暖房運転」の場合である。
【００３６】
空調機リモコン装置１の「運転／停止」の操作手段３ａを操作し、処理が、スタートする。
【００３７】
ステップＳ１０で、制御部４は、温度センサ７が検出した検出温度Ｔ１を取り込む。
【００３８】
ステップＳ２０で、制御部４は、現在の運転モードが、「暖房運転」であるかどうかを判断し、「暖房運転」であるので、ステップＳ３０に進む。
【００３９】
ステップＳ３０で、制御部４は、検出温度Ｔ１と暖房運転警告温度ＨＬとを比較し、検出温度Ｔ１が、暖房運転警告温度ＨＬより高いので、ステップＳ４０に進む。
【００４０】
ステップＳ４０で、制御部４は、気温が高いにもかかわらず暖房運転を選択するという、空調機の環境に合致しない運転モードを選択したと判断し、表示パネル２で注意喚起を行い、処理が終了する。
【００４１】
図５の例は、冬などの気温の低い時季で、温度センサ７の検出温度Ｔ２は、１０℃であり、運転モードが、誤操作などで「冷房運転」の場合ある。
【００４２】
空調機リモコン装置１の「運転／停止」の操作手段３ａを操作し、処理が、スタートする。
【００４３】
ステップＳ１０で、制御部４は、温度センサ７が検出した検出温度Ｔ２を取り込む。
【００４４】
ステップＳ２０で、制御部４は、現在の運転モードが、「暖房運転」であるかどうかを判断し、「暖房運転」でないので、ステップＳ５０に進む。
【００４５】
ステップＳ５０で、制御部４は、現在の運転モードが、「冷房運転」であるかどうかを判断し、「冷房運転」であるので、ステップＳ６０に進む。
【００４６】
ステップＳ６０で、制御部４は、検出温度Ｔ２と冷房運転警告温度ＣＬとを比較し、検出温度Ｔ２が、冷房運転警告温度ＣＬより低いので、ステップＳ７０に進む。
【００４７】
ステップＳ７０で、制御部４は、気温が低いにもかかわらず冷房運転を選択するという、空調機の環境に合致しない運転モードを選択したと判断し、表示パネル２で注意喚起を行い、処理が終了する。
【００４８】
なお、注意喚起は、表示によるものだけでなく、空調機リモコン装置１にブザーやスピーカーなどの吹鳴手段を設けて、音や音声による注意喚起を行ってもよい。
【００４９】
本実施形態では、操作部３は、前記空調機の稼働と停止を操作する操作手段３ａとして、「運転／停止」の押しボタンスイッチを備えており、この操作手段３ａを操作した時に、制御部４は、注意喚起を行うことによって、常に注意喚起を行うことなく、注意喚起の煩わしさを抑えることができる。なお、前記空調機の稼働と停止を操作する操作手段３ａとして、「運転／停止」の押しボタンスイッチに限定されるものではなく、例えば、「運転切換」の押しボタンスイッチなども前記空調機の稼働と停止を操作する操作手段としてもよい。
【産業上の利用可能性】
【００５０】
本発明は、空気調和機の遠隔制御に用いられる空調機リモコン装置に利用可能である。
【符号の説明】
【００５１】
１    空調機リモコン装置
２    表示部（表示パネル）
３    操作部
３ａ  操作手段
４    制御部
５    信号送信部
６    記憶部
７    温度センサ
ＣＬ  冷房運転警告温度
ＨＬ  暖房運転警告温度
Ｔ１、Ｔ２  検出温度
【図１】
0005597949.tif 000002
【図２】
0005597949.tif 000003
【図３】
0005597949.tif 000004
【図４】
0005597949.tif 000005
【図５】
0005597949.tif 000006